【手続補正書】
【提出日】平成15年11月21日(2003.11.21)
【手続補正１】
【補正対象書類名】明細書
【補正対象項目名】特許請求の範囲
【補正方法】変更
【補正の内容】
【特許請求の範囲】
【請求項１】
膨張可能な器具を膨張させるための装置であって、燃焼生成物を生成するために流体の形をした少なくとも一つの燃料を燃焼せしめる第１室と、外壁を備え且つ密閉貯蔵体積部を構成するカプセルを有する燃料封じ込め組体であって前記密閉貯蔵体積部が当該装置内への前記カプセルの設置前に少なくとも一つの燃料の供給物を流体の形で収納するように適合され且つ前記カプセルが前記第１室と流体連通状態となるように予め定められた作動条件で開放するように適合されている燃料封じ込め組体と、前記第１室内で前記少なくとも一つの燃料の燃焼を開始させる起爆体と、を具備する装置。
【請求項２】
前記カプセルがプラスチックから成形されている請求項１に記載の装置。
【請求項３】
前記カプセルが前記第１室の酸化性環境下で少なくとも部分的に消耗可能な材料で製造されている請求項１に記載の装置。
【請求項４】
前記カプセルの外壁が前記起爆体の外形に一致するように適合された断面形状を形成するべく成形されている請求項１に記載の装置。
【請求項５】
前記カプセルが当該装置内での該カプセルの直接取り付けを可能にするように適合された保持器を該カプセルに一体化された形で有する請求項１に記載の装置。
【請求項６】
前記カプセルが外壁の厚みを選択的に削減することによって予め弱化されている請求項１に記載の装置。
【請求項７】
前記カプセルの外壁の厚みが少なくとも一つの軸線方向に延びる刻み目によって選択的に削減されている請求項６に記載の装置。
【請求項８】
前記カプセルの外壁の厚みが少なくとも一つの周方向に延びる刻み目によって選択的に削減されている請求項６に記載の装置。
【請求項９】
前記カプセルの外壁の厚みが少なくとも一つの円筒形の螺旋状に軸線方向に延びる刻み目によって選択的に削減されている請求項６に記載の装置。
【請求項１０】
前記カプセルの外壁の厚みが少なくとも一つの不連続な刻み目によって選択的に削減されている請求項６に記載の装置。
【請求項１１】
前記カプセルの外壁の厚みが少なくとも一つの多重深さの刻み目によって選択的に削減されている請求項６に記載の装置。
【請求項１２】
前記カプセルが少なくとも一つの剛化手段を有する請求項１に記載の装置。
【請求項１３】
前記剛化手段が前記カプセルの外壁の内面に隣接し且つ前記カプセルの外部負荷容量を増大させるように適合されたリングを有する請求項１２に記載の装置。
【請求項１４】
前記燃料封じ込め組体が前記カプセルの外壁の外側面の少なくとも一部に隣接するハウジングを付加的に有する請求項１に記載の装置。
【請求項１５】
前記ハウジングが前記少なくとも一つの燃料に対し不浸透性の材料で製造されている請求項１４に記載の装置。
【請求項１６】
前記ハウジングがスクリーン手段材料を具備する請求項１４に記載の装置。
【請求項１７】
前記ハウジングが外壁を有し、該ハウジングの外壁がその厚みを選択的に削減することによって予め弱化されている請求項１４に記載の装置。
【請求項１８】
膨張可能な器具を膨張させるための装置であって、燃焼生成物を生成するために流体の形をした少なくとも一つの燃料を燃焼せしめる第１室と、前記少なくとも一つの燃料に対して不浸透性の外壁を有し且つ前記少なくとも一つの燃料の供給物を流体の形で収納するように適合され且つ前記第１室と流体連通状態となるように予め定められた作動条件下で開放するように適合されている閉鎖されたハウジングを有する燃料封じ込め組体とを具備し、前記ハウジングが前記第１室内で前記少なくとも一つの燃料の燃焼を開始させる起爆体を第２壁に沿って有する装置。
【請求項１９】
前記少なくとも一つの燃料が気体、液体、細かく分割された固体、または、これらの組合せの形の流体を具備する請求項１または１８に記載の装置。
【請求項２０】
前記ハウジングが金属から形成されている請求項１４または１８に記載の装置。
【請求項２１】
前記ハウジングが外壁の厚みを選択的に削減することによって予め弱化されている請求項１８に記載の装置。
【請求項２２】
前記ハウジングの外壁の厚みが少なくとも一つの軸線方向に延びる刻み目によって選択的に削減されている請求項２１に記載の装置。
【請求項２３】
前記ハウジングの外壁の厚みが少なくとも一つの周方向に延びる刻み目によって選択的に削減されている請求項２１に記載の装置。
【請求項２４】
前記ハウジングの外壁の厚みが少なくとも一つの円筒形で螺旋状の軸線方向に延びる刻み目によって選択的に削減されている請求項２１に記載の装置。
【請求項２５】
前記ハウジングの外壁の厚みが少なくとも一つの不連続な刻み目によって選択的に削減されている請求項２１に記載の装置。
【請求項２６】
前記ハウジングの外壁の厚みが少なくとも一つの多重深さの刻み目によって選択的に削減されている請求項２１に記載の装置。
【請求項２７】
前記ハウジングが少なくとも一つの剛化手段を有する請求項１８に記載の装置。
【請求項２８】
前記剛化手段が前記ハウジングの外壁の内面に隣接し且つ前記カプセルの外部負荷容量を増大させるように適合されたリングを有する請求項２７に記載の装置。
【請求項２９】
膨張可能な器具を膨張させるための装置であって、外壁を備え且つ密閉貯蔵体積部を構成するカプセルを有する閉鎖された燃料封じ込め組体であって前記密閉貯蔵体積部が当該装置内へのカプセルの設置前に少なくとも一つの燃料の供給物を少なくとも含む内容物を流体の形で収納するように適合され且つ予め定められた作動条件下で開放するように適合されている燃料封じ込め組体と、該燃料封じ込め組体の開放時に前記カプセルからの前記少なくとも一つの燃料の供給物の少なくとも一部分と流体連通状態となる第１室であって高温燃焼ガスを含む燃焼生成物を生成するように前記少なくとも一つの燃料を燃焼せしめ且つ該少なくとも一つの燃料の燃焼によって該第１室内の温度および圧力が上昇し且つ該第１室内の圧力が予め定められただけ増大したときに開放して高温燃焼ガスの少なくとも一部が該第１室から放出されるように適合されている第１室と、加圧貯蔵ガスの供給物を収容し且つ前記第１室の開放時に該第１室と流体連通状態となる第２室であって膨張用ガスを生成するために前記第１室から放出された高温燃焼ガスが前記加圧貯蔵ガスと混合し且つ該第２室が前記第１室から放出された高温燃焼ガスが加圧貯蔵ガスと混合した後に該第２室内の圧力が予め定められただけ上昇したときに開放して膨張可能な器具を膨張するために膨張用ガスの少なくとも一部が該第２室から放出されるように適合されている第２室と、前記第１室内で前記少なくとも一つの燃料の少なくとも一部分の燃焼を開始させるための起爆体と、を具備する装置。
【請求項３０】
前記カプセルが外壁の厚みを選択的に削減することによって予め弱化されている請求項２９に記載の装置。
【請求項３１】
前記カプセルの外壁の厚みが少なくとも一つの多重深さの刻み目によって選択的に削減されている請求項３０に記載の装置。
【請求項３２】
前記燃料封じ込め組体が前記カプセルの外壁の外側面の少なくとも一部に隣接するハウジングを付加的に有する請求項２９に記載の装置。
【請求項３３】
前記ハウジングがスクリーン手段材料を具備する請求項３２に記載の装置。
【請求項３４】
前記ハウジングが外壁を有し、該ハウジングの外壁がその厚みを選択的に削減することによって予め弱化されている請求項３３に記載の装置。
【請求項３５】
膨張可能な器具を膨張させるための装置であって、外壁を備え且つ少なくとも一つの燃料の供給物を含む内容物を流体の形で収納するように適合された閉鎖されたハウジングを有する燃料封じ込め組体であって前記外壁が前記少なくとも一つの燃料に対して不浸透性であり且つ前記ハウジングの外壁が予め定められた作動条件下で開放するように適合されている燃料封じ込め組体と、前記ハウジングの外壁の開放時に前記燃料封じ込め組体と流体連通状態となる第１室であって高温燃焼ガスを含む燃焼生成物を生成するために該第１室内で前記少なくとも一つの燃料の供給物の少なくとも一部が燃焼し且つ該少なくとも一つの燃料の燃焼により該第１室内の温度および圧力が上昇し且つ該第１室が該第１室内の圧力が予め定められただけ上昇したときに開放して高温燃焼ガスの少なくとも一部が該第１室から放出されるように適合されている第１室と、加圧貯蔵ガスの供給物を収納し且つ前記第１室の開放時に該第１室と流体連通状態となる第２室であって膨張用ガスを生成するために前記第１室から放出された高温燃焼ガスが加圧貯蔵ガスと混合し且つ該第２室が前記第１室から放出された高温燃焼ガスが加圧貯蔵ガスと混合して膨張用ガスを生成した後に該第２室内の圧力が予め定められただけ上昇したときに開放して膨張ガスの少なくとも一部が該第２室から放出されて膨張可能な器具を膨張するように適合されている第２室と、前記第１室内で前記少なくとも一つの燃料の燃焼を開始させるための起爆体と、を具備する装置。
【請求項３６】
前記少なくとも一つの燃料が燃焼酸化剤を含まない状態で前記燃料封じ込め組体内に貯蔵されている請求項１または１８または２９または３５に記載の装置。
【請求項３７】
前記少なくとも一つの燃料と酸化剤とが単一の材料として前記燃料封じ込め組体内に貯蔵されている請求項１または１８または２９または３５に記載の装置。
【請求項３８】
前記単一の材料がヒドロキシル硝酸アンモニウムベースの液体単元推進薬を具備する請求項３７に記載の装置。
【請求項３９】
前記ハウジングが外壁の厚みを選択的に削減することによって予め弱化されている請求項３５に記載の装置。
【請求項４０】
前記ハウジングの外壁の厚みが少なくとも一つの多重深さの刻み目によって選択的に削減されている請求項３９に記載の装置。
【請求項４１】
前記燃料封じ込め組体が前記起爆体の寸法と、ハウジングの破壊可能性と、燃料の選択と、燃料の量と、燃料の充填分率とを含む選択された設計パラメータに応じて前記第１室内への燃料の導入速度を減速するように適合されている請求項１または１８または２９または３５に記載の装置。
【請求項４２】
前記燃料封じ込め組体が周囲温度の影響を自己補償するように適合されている請求項１または１８または２９または３５に記載の装置。
【請求項４３】
膨張装置を用いて車両内の膨張可能な安全器具を膨張させる方法であって、ａ）前記膨張装置内への設置前に少なくとも一つの燃料の供給物を流体の形で収納している閉鎖されたカプセル、または、ｂ）開放前に少なくとも一つの燃料の供給物を流体の形で収納している燃料封じ込め組体の閉鎖された燃料ハウジングを開放することによって前記少なくとも一つの燃料の供給物の少なくとも一部を第１密封室内に放出する工程と、前記第１密封室内で前記放出された少なくとも一つの燃料の供給物の一部を燃焼させて高温燃焼ガスを含む燃焼生成物を生成する燃焼工程と、前記膨張装置からの燃焼ガスの少なくとも一部を含む膨張用ガスを放出して膨張可能な安全器具を膨張させる工程と、を具備する方法。
【請求項４４】
膨張用ガスの放出前に前記第１密封室からの高温燃焼ガスの少なくとも一部を第２室内の加圧貯蔵ガスと混合して膨張用ガスを生成する混合工程をさらに具備する請求項４３に記載の方法。
【請求項４５】
前記第１密封室が密封手段によって通常は閉じられている少なくとも一つのガス出口ポートを有し、前記燃焼工程が前記第１密封室内の温度および圧力を上昇させ、前記第１密封室の密封手段が該第１密封室内の圧力が予め定められただけ上昇したときに開放して該第１密封室から前記第２室へと高温燃焼ガスが放出され、前記第２室が密封手段によって通常は閉じられている少なくとも一つのガス出口を有し、前記混合工程が前記第２室内の温度および圧力を上昇させ、前記第２室のガス出口ポートの密封手段が前記第１密封室から放出された高温燃焼ガスが加圧貯蔵ガスと混合されて膨張用ガスを生成した後であって前記第２室内の圧力が予め定められただけ上昇したときに開放して該第２室から膨張用ガスを排出して膨張可能な安全器具を膨張させる請求項４４に記載の方法。
【請求項４６】
（ａ）閉鎖されたカプセルを開放したときに該開放工程が閉鎖されたカプセルの外壁を破壊する工程を具備し、（ｂ）閉鎖された燃料ハウジングを開放したときに該開放工程が閉鎖された燃料ハウジングの外壁を破壊する工程を具備する請求項４３に記載の方法。
【請求項４７】
前記カプセルまたはハウジングが開放する程度および前記第１密封室内に燃料が放出される速度が当該方法を実施する周囲温度に依存する請求項４３に記載の方法。
【請求項４８】
膨張可能な器具を膨張させるための装置の製造方法であって、カプセルの外壁によって構成されるカプセル内の密閉貯蔵体積部に少なくとも一つの燃料の供給物を流体の形で少なくとも部分的に充填する工程と、カプセルの開放時に燃料を含んだカプセルと流体連通状態となり且つ燃焼生成物を生成するために前記少なくとも一つの燃料が燃焼せしめられる第１室と、前記少なくとも一つの燃料の供給物の少なくとも一部の前記第１室内での燃焼を開始させるための起爆体とを有する装置組体内に燃料を含んだカプセルを装入する工程と、を具備する製造方法。